(57)【特許請求の範囲】
【請求項１】
疑似餌本体と、前記疑似餌本体に取り付けられる装着部材とを備える疑似餌であって、
前記疑似餌本体は、
前記装着部材が取り付けられる入口となる開口部と、前記開口部に繋がるとともに前記開口部から奥に向かって延びる内面と、を有して前記装着部材が取り付けられる取付穴と、
を備え、
前記内面は、
前記取付穴を狭めるように前記内面から内側にせり出して前記奥に向かって延びるせり出し部と、前記開口部側から前記奥側に向けて前記せり出し部を通過するように前記せり出し部に形成される凹部と、
を有し、
前記装着部材は、
前記取付穴に取り付けられる一端部と、装着体が取り付けられる他端部と、を有する軸部材と、
を備え、
前記軸部材は、前記軸部材の前記一端部側において前記軸部材から突出する凸部と、
を有し、
前記装着部材は、前記一端部側から前記取付穴に挿入され、前記せり出し部の前記凹部の内側に前記凸部が収容されて前記凹部に案内されるように前記取付穴の前記奥側に向けて差し込まれ、
前記凸部が前記凹部を抜け、外力により前記軸部材が前記軸部材の軸回りに回転することで、前記装着部材を前記他端部側に引っ張る力が働いた際に前記凸部が前記奥側から前記せり出し部に引っ掛かる、疑似餌。
【請求項２】
前記取付穴は、前記取付穴に挿入される前記軸部材を前記取付穴の外側に向けて付勢する付勢部材を有し、
前記装着部材は、前記付勢部材の付勢に抗して前記取付穴に挿入され、前記凸部が前記凹部を抜けた後に前記軸回りに回転すると、前記付勢部材により前記凸部が前記奥側から前記せり出し部に押し付けられる、請求項１に記載の疑似餌。
【請求項３】
前記せり出し部は、前記奥側から前記開口部側に向けて窪む窪み部を有し、
前記装着部材は、前記取付穴に挿入され、前記凸部が前記凹部を抜けた後に前記軸回りに回転し、前記装着部材を前記他端部側に移動させる力が働くと、前記凸部が前記窪み部に収まる、請求項１又は２に記載の疑似餌。
【請求項４】
前記せり出し部は、前記取付穴の内周に沿って形成され、
前記窪み部が前記内周に沿って複数形成される、請求項３に記載の疑似餌。
【請求項５】
前記窪み部は、前記奥側から前記開口部側に向けて窪みの幅が次第に狭まる傾向に形成される、請求項４項に記載の疑似餌。
【請求項６】
前記窪み部は、前記奥側から前記開口部側に向けて窪みの幅が狭まった後に広がるアンダーカット状に形成される、請求項４に記載の疑似餌。
【請求項７】
前記凸部は、前記凸部に所定以上の外力が生じると、前記凸部が破損する脆弱部を有し、
前記装着部材を前記他端部側に引っ張る力が働くと、前記せり出し部に引っ掛かる前記凸部が前記脆弱部により破損し、前記軸部材が前記取付穴から離脱する、請求項１ないし６のいずれか１項に記載の疑似餌。
【請求項８】
前記装着体が釣り針である、請求項１ないし７のいずれか１項に記載の疑似餌。
【請求項９】
前記疑似餌本体は、複数の前記取付穴を有し、前記疑似餌本体に複数の前記装着部材を取り付けることが可能である、請求項１ないし８のいずれか１項に記載の疑似餌。
【請求項１０】
前記装着体がキーホルダー又はストラップである、請求項１ないし９のいずれか１項に記載の疑似餌。
【請求項１１】
疑似餌本体に取り付けられる装着部材であり、
前記疑似餌本体は、
前記装着部材が取り付けられる入口となる開口部と、前記開口部に繋がるとともに前記開口部から奥に向かって延びる内面と、を有して前記装着部材が取り付けられる取付穴と、
を備え、
前記内面は、
前記取付穴を狭めるように前記内面から内側にせり出して前記奥に向かって延びるせり出し部と、前記開口部側から前記奥側に向けて前記せり出し部を通過するように前記せり出し部に形成される凹部と、
を有し、
前記疑似餌本体に取り付けられる前記装着部材であって、
前記取付穴に取り付けられる一端部と、装着体が取り付けられる他端部と、を有する軸部材と、
を備え、
前記軸部材は、
前記軸部材の前記一端部側において前記軸部材から突出する凸部と、
を有し、
前記装着部材は、前記一端部側から前記取付穴に挿入され、前記せり出し部の前記凹部の内側に前記凸部が収容されて前記凹部に案内されるように前記取付穴の前記奥に向けて差し込まれ、
前記凸部が前記凹部を抜け、外力により前記軸部材を前記軸部材の軸回りに回転することで、前記装着部材を前記他端部側に引っ張る力が働いた際に前記凸部が前記奥側から前記せり出し部に引っ掛かる、装着部材。
【請求項１２】
装着部材が取り付けられる取付穴を有する疑似餌本体であり、
前記取付穴に取り付けられる一端部と、装着体が取り付けられる他端部と、を有する軸部材であり、前記軸部材の前記一端部側において前記軸部材から突出する凸部を有する前記軸部材を備える前記装着部材が取り付けられる前記疑似餌本体であって、
前記装着部材が取り付けられる入口となる開口部と、前記開口部に繋がるとともに前記開口部から奥に向かって延びる内面と、を有して前記装着部材が取り付けられる前記取付穴と、
を備え、
前記内面は、
前記取付穴を狭めるように前記内面から内側にせり出して前記奥に向かって延びるせり出し部と、前記開口部側から前記奥側に向けて前記せり出し部を通過するように前記せり出し部に形成される凹部と、
を有し、
前記装着部材は、前記一端部側から前記取付穴に挿入され、前記せり出し部の前記凹部の内側に前記凸部が収容されて前記凹部に案内されるように前記取付穴の前記奥に向けて差し込まれ、
前記凸部が前記凹部を抜け、外力により前記軸部材を前記軸部材の軸回りに回転することで、前記装着部材を前記他端部側に引っ張る力が働いた際に前記凸部が前記奥側から前記せり出し部に引っ掛かる、疑似餌本体。
【発明の詳細な説明】
【技術分野】
【０００１】
本発明は、疑似餌、装着部材及び疑似餌本体に関する。
【背景技術】
【０００２】
例えば、特許文献１には、疑似餌本体に釣り針を取り付けて固定する疑似餌が開示される。
【先行技術文献】
【特許文献】
【０００３】
【特許文献１】特開２００２−２６２７２２号
【発明の概要】
【発明が解決しようとする課題】
【０００４】
特許文献１の疑似餌では、釣り針の一端に取り付けられたネジを疑似餌本体のネジ穴に取り付ける必要があるため、釣り針を疑似餌本体に取り付けるの手間がかかる。
【０００５】
本発明の課題は、装着部材を簡易に取り付け可能な疑似餌、装着部材及び疑似餌本体を提供することにある。
【課題を解決するための手段及び発明の効果】
【０００６】
疑似餌本体と、疑似餌本体に取り付けられる装着部材とを備える疑似餌であって、
疑似餌本体は、
装着部材が取り付けられる入口となる開口部と、開口部に繋がるとともに開口部から奥に向かって延びる内面と、を有して装着部材が取り付けられる取付穴と、
を備え、
内面は、
取付穴を狭めるように内面から内側にせり出して奥に向かって延びるせり出し部と、開口部側から奥側に向けてせり出し部を通過するようにせり出し部に形成される凹部と、
を有し、
装着部材は、
取付穴に取り付けられる一端部と、疑似餌本体に装着される装着体が取り付けられる他端部と、を有する軸部材と、
を備え、
軸部材は、軸部材の一端部側において軸部材から突出する凸部と、
を有し、
装着部材は、一端部側から取付穴に挿入され、せり出し部の凹部の内側に凸部が収容されて凹部に案内されるように取付穴の奥側に向けて差し込まれ、
凸部が凹部を抜け、外力により軸部材が軸部材の軸回りに回転することで、装着部材を他端部側に引っ張る力が働いた際に凸部が奥側からせり出し部に引っ掛かる、疑似餌。
【０００７】
本発明の疑似餌は、取付穴に軸部材を挿入され、せり出し部の凹部に内側に軸部材の凸部が収容されて凹部に案内されるように取付穴の奥側に向けて差し込まれ、凸部が凹部を抜け、軸部材が軸部材の軸回りに回転させることで、装着部材を他端部側に引っ張る力が働いた際に凸部が奥側からせり出し部に引っ掛かり、装着部材が疑似餌本体から抜けなくなる。そのため、疑似餌本体に簡易に装着部材を取り付けることが可能となる。
【０００８】
本発明の実施態様では、
取付穴は、取付穴に挿入される軸部材を取付穴の外側に向けて付勢する付勢部材を有し、
装着部材は、付勢部材の付勢に抗して取付穴に挿入され、凸部が凹部を抜けた後に軸回りに回転すると、付勢部材により凸部が奥側からせり出し部に押し付けられてもよい。
【０００９】
これによれば、付勢部材により凸部がせり出し部に押し付けられ、凸部ひいては装着部材の位置を保持することが可能となる。
【００１０】
本発明の実施態様では、
せり出し部は、奥側から開口部側に向けて窪む窪み部を有し、
装着部材は、取付穴に挿入され、凸部が凹部を抜けた後に軸回りに回転し、装着部材を他端部側に移動させる力が働くと、凸部が窪み部に収まってもよい。
【００１１】
これによれば、凸部が窪み部に収まることで、軸部材を軸回りに回転させる力が働いたとしても、凸部が凹部の内側に入り込みにくくなり、軸部材が取付穴から外れにくくなり、疑似餌本体から装着部材が取れにくくなる。
【００１２】
本発明の実施態様では、
せり出し部は、取付穴の内周に沿って形成され、
窪み部が内周に沿って複数形成されてもよい。
【００１３】
これによれば、凸部を収める窪み部が複数あるため、凸部を窪み部に収めやすくなる。
【００１４】
本発明の実施態様では、
窪み部は、奥側から開口部側に向けて窪みの幅が次第に狭まる傾向に形成されてもよい。
【００１５】
これによれば、装着部材を取付穴に装着する際に、凹部に案内されるように凸部が移動して、凸部が凹部を抜けた後に、軸部材を軸部材の軸回りに回転させるとともに、軸部材を他端部側に引っ張るだけで、凸部が窪み部に案内されるようにして窪み部に収まりやすくなる。
【００１６】
本発明の実施態様では、
せり出し部は、奥側から開口部側に向けて窪みの幅が狭まった後に広がるアンダーカット状に形成されてもよい。
【００１７】
これによれば、軸部材を軸回りに回転させる力や、軸部材を取付穴の奥側に移動させる力が働いたとしても、凸部が窪み部にとどまり、軸部材が取付穴から外れにくくなり、疑似餌本体から装着部材が取れにくくなる。
【００１８】
本発明の実施態様では、
凸部は、凸部に所定以上の外力が生じると、凸部が破損する脆弱部を有し、
装着部材を他端部側に引っ張る力が働くと、せり出し部に引っ掛かる凸部が脆弱部により破損し、軸部材が取付穴から離脱してもよい。
【００１９】
これによれば、例えば、釣りをする際に水中で装着部材が何かに引っ掛かり、疑似餌が動かなくなったとしても、疑似餌本体を強く引っ張ることができれば、凸部が破損して、疑似餌本体を回収可能となる。
【００２０】
本発明の実施態様では、装着体が釣り針であってもよい。
【００２１】
これによれば、釣り針の装着が簡易になる。
【００２２】
本発明の実施態様では、疑似餌本体は、複数の取付穴を有し、疑似餌本体に複数の装着部材を取り付けることが可能であってもよい。
【００２３】
これによれば、釣り針やおもりやウィングやラインアイなどを疑似餌本体に個別に取り付けることができる。また、例えば、ラインアイと釣り針の取り付け位置を逆にすることもでき、疑似餌をカスタマイズしやすくなる。
【００２４】
本発明の実施態様では、装着体がキーホルダー又はストラップでもよい。
【００２５】
これによれば、疑似餌本体を携帯しやすくなる。例えば、装着部材として釣り針の代わりにキーホルダー又はストラップを取り付けることで、疑似餌を携帯しやすくなる。
【００２６】
また、本発明の装着部材は、
疑似餌本体に取り付けられる装着部材であり、
疑似餌本体は、
装着部材が取り付けられる入口となる開口部と、開口部に繋がるとともに開口部から奥に向かって延びる内面と、を有して装着部材が取り付けられる取付穴と、
を備え、
内面は、
取付穴を狭めるように内面から内側にせり出して奥に向かって延びるせり出し部と、開口部側から奥側に向けてせり出し部を通過するようにせり出し部に形成される凹部と、
を有し、
疑似餌本体に取り付けられる装着部材であって、
取付穴に取り付けられる一端部と、疑似餌本体に装着される装着体が取り付けられる他端部と、を有する軸部材と、
を備え、
軸部材は、
軸部材の一端部側において軸部材から突出する凸部と、
を有し、
装着部材は、一端部側から取付穴に挿入され、せり出し部の凹部の内側に凸部が収容されて凹部に案内されるように取付穴の奥に向けて差し込まれ、
凸部が凹部を抜け、外力により軸部材を軸部材の軸回りに回転することで、装着部材を他端部側に引っ張る力が働いた際に凸部が奥側からせり出し部に引っ掛かる、装着部材。
【００２７】
本発明の装着部材は、上記の疑似餌と同様に、疑似餌本体に簡易に装着部材を取り付けることが可能となる。
【００２８】
そして、本発明の疑似餌本体は、
装着部材が取り付けられる取付穴を有する疑似餌本体であり、
取付穴に取り付けられる一端部と、疑似餌本体に装着される装着体が取り付けられる他端部と、を有する軸部材であり、軸部材の一端部側において軸部材から突出する凸部を有する軸部材を備える装着部材が取り付けられる疑似餌本体であって、
装着部材が取り付けられる入口となる開口部と、開口部に繋がるとともに開口部から奥に向かって延びる内面と、を有して装着部材が取り付けられる取付穴と、
を備え、
内面は、
取付穴を狭めるように内面から内側にせり出して奥に向かって延びるせり出し部と、開口部側から奥側に向けてせり出し部を通過するようにせり出し部に形成される凹部と、
を有し、
装着部材は、一端部側から取付穴に挿入され、せり出し部の凹部の内側に凸部が収容されて凹部に案内されるように取付穴の奥に向けて差し込まれ、
凸部が凹部を抜け、外力により軸部材を軸部材の軸回りに回転することで、装着部材を他端部側に引っ張る力が働いた際に凸部が奥側からせり出し部に引っ掛かる、疑似餌本体。
【００２９】
本発明の疑似餌本体も、上記の疑似餌と同様に、装着部材が取り付けやすくなる。
【図面の簡単な説明】
【００３０】
【図１】本発明の餌木の一例を示す模式斜視図。
【図２】図１の餌木本体のみを示す模式斜視図。
【図３】図２の餌木本体の取付穴を示す部分拡大図。
【図４】図３に示す取付穴の内部構造の詳細を示す模式斜視図。
【図５】図１の釣り針部材の全体を示す模式斜視図。
【図６】餌木本体に釣り針部材を挿入する前の様子を示す模式斜視図。
【図７】取付穴に釣り針部材を挿入した取付穴の内部状態を示す模式斜視図。
【図８】図７から釣り針部材が取付穴の奥に差し込まれた様子を示す模式斜視図。
【図９】図８から釣り針部材が軸回りに回転した様子を示す模式斜視図。
【図１０】餌木本体に釣り針部材が取り付けられた取付穴の内部状態を示す模式斜視図。
【図１１】せり出し部における窪み部の変形例を示す模式斜視図。
【図１２】釣り針部材における筒部材の変形例１を示す模式斜視図。
【図１３】釣り針部材における筒部材の変形例２を示す模式斜視図。
【図１４】図１３の筒部材が窪み部に嵌った状態を示す模式斜視図。
【発明を実施するための形態】
【００３１】
図１は本発明の一例の餌木１を示す。餌木１は、釣り竿の釣り糸に取り付けられ、イカなどを釣るために使用される疑似餌である。餌木１は、海老に似せた形状の餌木本体２と、餌木本体２に取り付けられる釣り針部材３と、を備える。
【００３２】
餌木本体２は、先端に位置するラインアイ４と、ラインアイ４の近傍に位置するアイ５と、アイ５の下方に位置するおもり６と、ラインアイ４との間にアイ５を挟むように位置するウィング７と、後端に位置して釣り針部材３を取り付けるための取付穴８を備える。
【００３３】
ラインアイ４は、餌木本体２の先端に位置する。ラインアイ４は、金具又は組紐など
により環状に形成される。ラインアイ４は、釣り糸であるラインが結びつけられる部材である。場合により、スナップと呼ばれる接続金具がラインアイ４に取り付けられることもある。
【００３４】
図１のラインアイ４の後方（図１では右側）には、アイ５が位置する。アイ５は、円盤状に形成される。アイ５は、海老に似せた餌木本体２の目に相当する部材である。
【００３５】
アイ５の下側には、おもり６が位置する。おもり６は、略扇状に形成される。おもり６は、餌木本体２の重量の大部分を決め、餌木本体２の水中での姿勢や沈下スピードを左右する部材である。
【００３６】
ラインアイ４との間にアイ５を挟むようにウィング７が位置する。ウィング７は、羽毛状に形成される。ウィング７は、餌木本体２を水中に沈める際の姿勢を安定させるための部材である。
【００３７】
ラインアイ４が位置する餌木本体２の先端と反対側の後端には、釣り針部材３を取り付けるための取付穴８（図２及び図３参照）が位置する。取付穴８を模式的に示す図４に示すように、取付穴８は、開口部９と、開口部９に接続する内面１０と、取付穴８の内部に位置するバネ１１と、取付穴８の底となる底面１２と、を備える。
【００３８】
図１に示すように、開口部９は釣り針部材３を取り付けるために、釣り針部材３を挿入する入口である。開口部９は、餌木本体２の後端に位置する。開口部９は、餌木本体２の後端面に円状に形成される。
【００３９】
図４に戻って、開口部９には内面１０が繋がる。内面１０は、開口部９から餌木本体２の奥（内部）に向かって延びる。内面１０は、円筒の内面のように形成される。内面１０は、取付穴８を狭めるように内面１０から内側にせり出して開口部９から取付穴８の奥に向かって延びるせり出し部１０ａと、せり出し部１０ａに形成される凹部１０ｂと、を有する。せり出し部１０ａは、一端部Ｅ１が開口部９の内側に位置するとともに、他端部Ｅ２が取付穴８の奥側に位置し、開口部９から取付穴８の奥に向けて筒状に延びる筒状部材を縦に分割した形状である。せり出し部１０ａは、取付穴８の内周に沿うように形成される。せり出し部１０ａの他端部Ｅ２は、取付穴８の奥側から開口部９に向けて窪む窪み部Ｈを有する。窪み部Ｈは、筒状のせり出し部１０ａの内周に沿って、せり出し部１０ａの他端部Ｅ２を略Ｖ字状に連続して切り欠くようにして複数形成される。凹部１０ｂは、開口部９から取付穴８の奥側に向けてせり出し部１０ａの一端部Ｅ１から他端部Ｅ２を通過するように直線状に形成される窪みである。凹部１０ｂは、筒状のせり出し部１０ａの内面に間隔を置いて複数形成される。
【００４０】
せり出し部１０ａの他端部Ｅ２の奥（取付穴８の奥）には、バネ１１が位置する。バネ１１は、自然長の状態で、一端が取付穴８の底面１２に固定され。他端がせり出し部１０ａの他端部Ｅ２に接触するように位置する。バネ１１は、せり出し部１０ａ側からの外力により取付穴８の底面１２に向けて押されると、バネ１１は底面１２に向けて縮む。
【００４１】
バネ１１の一端が固定される底面１２は、円状に形成される。
【００４２】
餌木本体２の取付穴８には、図１に示すように釣り針部材３が取り付けられる。釣り針部材３は、取付穴８に一端部１５ａが取り付けられる図５に示す軸部材１３と、軸部材１３の他端部１５ｂに取り付けられるカンナ部材１４と、を備える。
【００４３】
軸部材１３は、一端部１５ａと他端部１５ｂを有して軸線Ａを中心とする円柱状に形成される軸本体１５と、一端部１５ａ側に固定される筒部材１６と、を備える。
【００４４】
軸本体１５は、外径が図４に示す取付穴８、せり出し部１０ａ及びバネ１１の内径よりも小さく、取付穴８、せり出し部１０ａ及びバネ１１の内側に挿入可能である。
【００４５】
図５に戻って、筒部材１６は、筒状に形成される。筒部材１６には軸本体１５が挿入され、軸本体１５の一端部１５ａに筒部材１６が固定される。筒部材１６は、筒状の外周面から側方に突出する凸部１６ａを有する。凸部１６ａは、軸線Ａ回りに間隔を置いて複数（ここでは３つ）形成される。凸部１６ａは、軸線Ａに沿うように筒部材１６の一端から他端に向けて直線状に形成される。筒部材１６の外径は、図４に示す取付穴８の内径より小さく、取付穴８に挿入可能である一方で、バネ１１の内径より大きく、バネ１１の内側に挿入することはできない。また、凸部１６ａを除いた筒部材１６の外径は、図４に示すせり出し部１０ａの内径より小さく、せり出し部１０ａに挿入可能である。一方、凸部１６ａを含めて筒部材１６の外径は、凸部１６ａによりせり出し部１０ａの内径より大きくなり、筒部材１６をせり出し部１０ａに挿入しようとすると、凸部１６ａがせり出し部１０ａに引っ掛かる。ただし、凸部１６ａは、せり出し部１０ａの凹部１０ｂの内側に完全に収容される大きさであるため、凸部１６ａを凹部１０ｂに挿入するようにして筒部材１６をせり出し部１０ａに挿入すると、筒部材１６はせり出し部１０ａに挿入可能となる。
【００４６】
図５に戻って、軸本体１５の他端部１５ｂには、２つのカンナ部材１４が位置する。各カンナ部材１４は、軸本体１５をシャフトとして全体で傘の親骨状となる。各カンナ部材１４は、軸線Ａ回りに鉤状の鉤部材１４ａを複数有する。
【００４７】
以上の構成を有する図１の餌木１は、餌木本体２に釣り針部材３が取り付けられた状態で使用される。餌木本体２に釣り針部材３を取り付ける方法を説明する。餌木本体２の取付穴８に釣り針部材３を取り付けるには、図６に示すように取付穴８に軸部材１３（軸本体１５の一端部１５ａ）を取付穴８の開口部９に挿入する。すると、図７に示すように、軸部材１３は、せり出し部１０ａの凹部１０ｂの内側に筒部材１６の凸部１６ａが収容され、凸部１６ａが凹部１０ｂに案内されるように取付穴８の奥側に向けて差し込まれる。凸部１６ａが凹部１０ｂから抜けた先にバネ１１が位置し、軸部材１３が更に差し込まれると、図８に示すように凸部１６ａを有する筒部材１６は、バネ１１に接触してバネ１１の付勢に抗して取付穴８（図示省略）の奥に差し込まれる。凸部１６ａが凹部１０ｂから完全に抜けるまで軸部材１３が取付穴８（図示省略）に差し込まれる。凸部１６ａが凹部１０ｂを抜けた後、バネ１１の付勢に抗したまま、軸部材１３を軸線Ａ回りに所定角、回転させる（図８→図９）。次に、バネ１１の付勢に抗して取付穴８（図示省略）に押し込んだ筒部材１６を押し込む力を開放させ、バネ１１の付勢力により筒部材１６（軸部材１３）を取付穴８の開口部９側に向けて移動させる。すると、図１０に示すように、筒部材１６の凸部１６ａが略Ｖ字状の窪み部Ｈの縁に案内されるようにして窪み部Ｈに差し込まれる。この状態において、バネ１１は自然長から縮むことで、バネ１１の付勢力により筒部材１６が取付穴８（図示省略）の入口側（図示右側）に移動するように力が働く。一方で、筒部材１６の凸部１６ａが窪み部Ｈに差し込まれることで、凸部１６ａが取付穴８（図示省略）の奥側（図示左側）からせり出し部１０ａの窪み部Ｈに押し付けられ、筒部材１６（軸部材１３）の位置が保持され、軸部材１３（釣り針部材３）が餌木本体２に取り付けられる。
【００４８】
釣り針部材３を取り外す場合には、釣り針部材３を取り付ける逆の操作をすればよい。軸部材１３をバネ１１の付勢に抗して取付穴８の奥に向けて押し込み、筒部材１６の凸部１６ａが窪み部Ｈから完全に抜けるように移動させる（図１０→図９）。バネ１１の付勢に抗したまま、軸部材１３を軸線Ａの回りに所定角、回転させる（図９→図８）。そして、筒部材１６の凸部１６ａがせり出し部１０ａの凹部１０ｂの内側に収まるようにして凸部１６ａを引き出す（図７）。凸部１６ａが凹部１０ｂから完全に抜けるまで軸部材１３を引き出すことで、軸部材１３が取付穴８から引き出され、餌木本体２から軸部材１３が取り外される（図６）。
【００４９】
以上のように、餌木本体２に釣り針部材３を取り付ける操作としては、軸部材１３を取付穴８に差し込み、軸部材１３を軸線Ａ回りに所定角、回転させるだけよい。そのため、釣り針部材３を餌木本体２に取り付けるのが簡易である。釣り針部材３が餌木本体２に取り付けられた状態で、図１０に示すように筒部材１６の凸部１６ａがバネ１１の付勢力により窪み部Ｈに押し付けられるため、軸部材１３（釣り針部材３）の位置を保持することが可能である。凸部１６ａが窪み部Ｈに差し込まれるため、軸線Ａ回りに軸部材１３を回転させる力が生じても凸部１６ａがせり出し部１０ａの凹部１０ｂに入り込みにくくなり、餌木本体２から釣り針部材３が外れにくくなる。窪み部Ｈの形状が取付穴８（図示省略）の奥側から開口部９（図示省略）に向けて（図１０の左側から右側に向けて）窪みの幅が狭まる略Ｖ字状に形成されるため、凸部１６ａを窪み部Ｈに差し入れる際に略Ｖ字状の形状がガイドとなり、凸部１６ａを窪み部Ｈに収めやすくなる。
【００５０】
上記では、窪み部Ｈが略Ｖ字状に形成される例を示した。窪み部Ｈとしては、図１１に示すように取付穴８の奥側（図示左側）から開口部９（図示右側）に向けて窪みの幅が狭まった後に広がるアンダーカット状に形成されてもよい。また、窪み部Ｈの内部に凸部１６ａが完全に収容されるように凸部１６ａの形状を調整してもよい。これによれば、軸部材１３を軸線Ａ回りに回転させる力や、軸部材１３を取付穴８の奥側に移動させる力など、釣りをする際に軸部材１３に様々な力が生じても釣り針部材３が餌木本体２から外れにくくなる。その他にも窪み部Ｈをコ字状などに形成してもよい。
【００５１】
また、図１２に示すように筒部材１６の凸部１６ａに、凸部１６ａに所定以上の外力が生じると、凸部１６ａが破損する脆弱部Ｖを形成してもよい。脆弱部Ｖを有する凸部１６ａを備えた釣り針部材３が餌木本体２（図示省略）に取り付けられ、餌木本体２（図示省略）から釣り針部材３を外すように釣り針部材３を引っ張る力が働くと、せり出し部１０ａに引っ掛かる凸部１６ａに外力が生じる。凸部１６ａに所定以上の外力が生じると、脆弱部Ｖにより凸部１６ａが破損し、軸部材１３が取付穴８（図示省略）から離脱する。そのため、例えば、釣りをする際に水中で釣り針部材３が何かに引っ掛かり、餌木１が動かなくなったとしても、餌木本体２（図示省略）を強く引っ張ることで、凸部１６ａが破損して、少なくとも餌木本体２（図示省略）だけは回収可能となる。
【００５２】
また、図１３及び図１４に示すように、凸部１６ａの一端部は、窪み部Ｈに対応するように、窪み部Ｈの底に向けて幅が次第に狭まる略Ｖ字状に形成されてもよい。凸部１６ａの一端部が略Ｖ字状に形成されることで、図１４の状態から軸部材１３を軸線Ａ回りに反時計回りに回転させると、凸部１６ａが略Ｖ字状の窪み部Ｈの側壁にガイドされるように、凸部１６ａが窪み部Ｈから抜け出すように移動する。そのため、凸部１６ａが窪み部Ｈから抜け出しやすくなり、釣り針部材３の取り外しが簡易になる。
【００５３】
上記では、餌木本体２に１つの取付穴８を設けた例を説明した。餌木本体２に複数の取付穴８を設けてもよい。この場合、軸部材１３に取り付けられるカンナ部材１４に代えて、ラインアイ４、アイ５、おもり６、ウィング７、フェザー、キーホルダー、ストラップなどを取り付けても良い。例えば、ラインアイ４も釣り針部材３と同様に餌木本体２に取り付けることが可能ならば、ラインアイ４と釣り針部材３の取り付け位置を逆にすることができる。ラインアイ４と釣り針部材３の位置を逆にすることができれば、水中での餌木１の姿勢を変えることが可能となる。また、ラインアイ４の他にアイ５やおもり６やウィング７も釣り針部材３のように簡易に取り付け可能であれば、釣り人の要望に応じた餌木１に簡易にカスタマイズすることが可能となる。カンナ部材１４に代えてキーホルダー又はストラップを取り付けた場合には、釣り針がない状態の餌木本体２を携帯することができる。釣り針がないため簡易に携帯できるとともに、所有している餌木本体を釣り仲間などにアピールできるなど、釣り人のファッション性が高まる。
【００５４】
上記では、せり出し部１０ａの凹部１０ｂが直線状に形成される例を説明した。凹部１０ｂとしては、直線に限らず、曲線状でも直角に曲がる形状であっても何でも良い。同様に、凹部１０ｂの内側に収容される凸部１６ａの形状としても、凸部１６ａが凹部１０ｂに案内されて通過できる形状であれば、どんな形状でも良い。
【００５５】
上記では、筒部材１６に凸部１６ａを複数（３つ）設ける例を説明した。凸部１６ａは１つでも良いし、凹部１０ｂの数と同じ（６つ）でもよい。凸部１６ａの数が多ければ、釣り針部材３が餌木本体２から外れにくくなる。
【００５６】
上記では、取付穴８として、底面１２である底がある例を説明した。取付穴８としては、底面１２がない貫通孔であってもよい。この場合、底面１２に取り付けられたバネ１１は、取付穴８の内面１０などに固定すればよい。
【００５７】
上記では、疑似餌として餌木１の例を説明した。疑似餌としては、餌木１に限らず、ルアーなどでもよい。
【００５８】
上記では、せり出し部１０ａは、開口部９から取付穴８の奥に延びる例を説明した。せり出し部としては、開口部９に到達しない、開口部９の近傍から取付穴８の奥に延びるものでもよい。また、上記では、筒状部材を縦に割った形状のせり出し部１０ａの例を説明した。せり出し部１０ａとしては、筒状の形状などでもよい。
【００５９】
上記では、取付穴８の内面１０が中空円柱状に形成される例を説明した。内面としては、中空円柱状に限らず、中空多角柱状など種々の形状を採用できる。
【００６０】
上記では、釣り針部材３が餌木本体２に取り付けられる例を説明した。各カンナ部材１４の鉤部材１４ａの色が異なる複数の釣り針部材３を用意しておくことで、海中の状況に合わせて簡易に釣り針部材３を交換することができる。鉤部材１４ａの色として、黒、赤、銀色など種々のものが採用可能である。鉤部材１４ａを餌木本体２と同色の色にすることで、餌木１全体で一体感を持たせることも可能となる。
【００６１】
なお、釣り針部材３の参考例として、次のようなものが考えられる。自動車の内張りやパネルを車両に固定するための樹脂製のクリップのように、頭部と、頭部の下面から下方に延びる軸部と、軸部に設けられる複数の弾性係止片を備えたクリップ部材にカンナ部材１４を取り付けたものを釣り針部材としてもよい。取付穴８にクリップ部材を挿入すると、弾性係止片が取付穴８に引っ掛かることで、簡単に釣り針部材を取り付けることが可能となる。このように車両などに用いられるクリップなどを用いることで、取付穴８に釣り針部材を簡単に取り付けることが可能となる。
【００６２】
ここで、本実施形態と特許請求の範囲に記載の文言との対応関係を説明する。本実施形態の餌木１が疑似餌に相当する。同様に餌木本体２が疑似餌本体、釣り針部材３が装着部材、取付穴８が取付穴、開口部９が開口部、内面１０が内面、せり出し部１０ａがせり出し部、凹部１０ｂが凹部、軸部材１３が軸部材、凸部１６ａが凸部、バネ１１が付勢部材、窪み部Ｈが窪み部、に相当する。
【００６３】
以上、本発明の実施の態様を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【符号の説明】
【００６４】
１        餌木                        ２        餌木本体
３        釣り針部材                  ４        ラインアイ
５        アイ                        ６        おもり
７        ウィング                    ８        取付穴
９        開口部                      １０      内面
１０ａ    せり出し部                  １０ｂ    凹部
１１      バネ                        １２      底面
１３      軸部材                      １４      カンナ部材
１５      軸本体                      １６      筒部材
１６ａ    凸部
【要約】
【課題】装着部材を簡易に取り付け可能な疑似餌、装着部材及び疑似餌本体を提供する。
【解決手段】釣り針部材３は、軸本体１５の一端部１５ａ側から取付穴８に挿入され、凹部１０ｂの内側に凸部１６ａが収容されて凹部１０ｂに案内されるように取付穴８の奥側に向けて差し込まれる。凸部１６ａが凹部１０ｂを抜け、外力により軸部材１３が軸線Ａ回りに回転することで、釣り針部材３を他端部１５ｂ側に引っ張る力が働いた際に凸部１６ａが奥側からせり出し部１０ａに引っ掛かる。
【選択図】図１【図１】
0006656719.tif 000002
【図２】
0006656719.tif 000003
【図３】
0006656719.tif 000004
【図４】
0006656719.tif 000005
【図５】
0006656719.tif 000006
【図６】
0006656719.tif 000007
【図７】
0006656719.tif 000008
【図８】
0006656719.tif 000009
【図９】
0006656719.tif 000010
【図１０】
0006656719.tif 000011
【図１１】
0006656719.tif 000012
【図１２】
0006656719.tif 000013
【図１３】
0006656719.tif 000014
【図１４】
0006656719.tif 000015